(57)【特許請求の範囲】
【請求項１】
被彫刻媒体搭載テーブルと、当該被彫刻媒体搭載テーブルに搭載されて被彫刻媒体を固定するための画像彫刻装置用アダプタとを備え、前記被彫刻媒体に画像を彫刻するための画像彫刻装置において、
前記画像彫刻装置用アダプタは、前記被彫刻媒体搭載テーブルに対して前記被彫刻媒体の形状または性質に応じて交換自在に固定され、前記被彫刻媒体をパスポートとし、該パスポートの見開き一側の被彫刻部を備えた本体部を載せる把持板と、該把持板の一側に所要角度傾斜して設けられパスポートの見開き他側の反本体部を抑えるクリップを備えた傾斜板と、前記把持板の他側に蝶着され開口部が形成された蓋とを有し、
前記蓋を前記把持板に被せて前記把持板及び蓋間に前記パスポートの本体部を挟むと共に反本体部を前記傾斜板に沿って配置し前記クリップで抑え前記パスポートの被彫刻部を前記開口部に露出させて彫刻する、
ことを特徴とする画像彫刻装置。
【請求項２】
請求項１記載の画像彫刻装置において、
前記被彫刻媒体を吸引する被彫刻媒体吸引部を備え、
前記画像彫刻装置用アダプタは、前記被彫刻媒体の搭載面に形成した溝と、当該溝に設けた空気孔とを有し、
前記被彫刻媒体吸引部は、前記搭載面に搭載された被彫刻媒体を前記空気孔を介して吸引固定した、
ことを特徴とする画像彫刻装置。
【請求項３】
請求項１又は２記載の画像彫刻装置において、
彫刻針に接近させて設けられ切削りくずを含むダストを吸引するダスト吸引部を備えた、
ことを特徴とする画像彫刻装置。
【発明の詳細な説明】
【０００１】
【産業上の利用分野】
この発明は、パスポート、身分証明カード類の画像彫刻装置に関する。更に詳しくは、顔写真、住所、氏名、サイン等の画像、その他身分を証明する情報を彫刻する画像やディジタル・カメラ、スキャナ、或いは他のコンピュータ等からネット・ワーク等を介して取り込まれた情報等（この発明では、画像という）を、パスポート、身分証明カード類の被彫刻媒体に彫刻する際、その形状や性質に応じて該パスポート、身分証明カード類を載せるアダプタを交換自在としてなる画像彫刻装置に関する。
【０００２】
画像彫刻装置は、カード或るいはレジン紙の表面に所望のごく薄い着色層を塗布し、又はカードの磁気ストライプを彫刻針（スタイラス）により彫刻し、目的の画像を形成する機器であり、特にパスポート、免許証，社員証或いはクレジット・カード等又は身分証明カード類等の被彫刻媒体の場合は、磁気カード類の磁気ストライプに、顔写真、住所、氏名、サイン等の画像、その他身分を証明する情報や所属部署、ＩＤ番号等の情報を、偽造が極めて困難な様に彫刻するものであり、該パスポート、免許証、社員証或いはクレジット・カード等の身分証明カード類等のセキュウリティ（ＳＥＣＵＲＩＴＹ）の向上に極めて有効である。
【０００３】
画像彫刻装置の彫刻データ・ソースは、大別すると画像データと、テキスト・データであり、これらデータは、パーソナル・コンピュータ（以下パソコンと略称する）上の個別のファイルとして提供され、必要に応じてパソコン上で結合され、画像彫刻装置に送られる。
【０００４】
従来の画像彫刻装置は、独自のコントロールにより独自の文字データ、画像データ入力を採用している。
【０００５】
【発明が解決しようとする課題】
前述の通り、公知の画像彫刻装置においては、開発の日数・費用が膨大になる上に、ユーザにとっては新たな操作方法に習熟する必要があり、その負担が大きく、又データの電装・編集・圧縮等も極めて困難であった。
【０００６】
そして、公知の画像彫刻装置における最大の欠陥は、例えば、個人のカードを作成するときに、従来は、顔写真、住所、氏名、サイン等のデータを夫々にファイル化し、その全てのファイルを指定して該ファイルを収集・統合する必要があった。
【０００７】
顔写真、住所、氏名、サイン等の画像、その他身分を証明する情報を彫刻する被彫刻媒体には、磁気カード、非磁気カード等の外に、プラスチック・カード等がある。該被彫刻媒体には、例えば、標準カード、大判カード、パスポート、その他所要カード等がある。従ってこれら媒体の形状や性質に応じて各種類の高価な画像彫刻装置を製作して準備する必要がある。
【０００９】
【課題を解決するための手段】
この発明は、画像彫刻装置の前述の諸欠陥を除去するものであり、画像を彫刻する磁気カード、非磁気カードの外に、プラスチック・カード、その他のカード、アルミニウム板等の被彫刻媒体の形状や性質に応じて該被彫刻媒体を載せる数種類のアダプタを予め用意し、該アダプタを交換自在としてなり、パスポート、身分証明カード類の該被彫刻媒体により幅広く対応可能とするものである。
【００１０】
本発明の第１の要旨は、被彫刻媒体搭載テーブルと、当該被彫刻媒体搭載テーブルに搭載されて被彫刻媒体を固定するための画像彫刻装置用アダプタとを備え、前記被彫刻媒体に画像を彫刻するための画像彫刻装置において、前記画像彫刻装置用アダプタは、前記被彫刻媒体搭載テーブルに対して前記被彫刻媒体の形状または性質に応じて交換自在に固定され、前記被彫刻媒体をパスポートとし、該パスポートの見開き一側の被彫刻部を備えた本体部を載せる把持板と、該把持板の一側に所要角度傾斜して設けられパスポートの見開き他側の反本体部を抑えるクリップを備えた傾斜板と、前記把持板の他側に蝶着され開口部が形成された蓋とを有し、前記蓋を前記把持板に被せて前記把持板及び蓋間に前記パスポートの本体部を挟むと共に反本体部を前記傾斜板に沿って配置し前記クリップで抑え前記パスポートの被彫刻部を前記開口部に露出させて彫刻する、ことを特徴とする画像彫刻装置である。

【００１１】
本発明の第２の要旨は、請求項１記載の画像彫刻装置において、前記被彫刻媒体を吸引する被彫刻媒体吸引部を備え、前記画像彫刻装置用アダプタは、前記被彫刻媒体の搭載面に形成した溝と、当該溝に設けた空気孔とを有し、前記被彫刻媒体吸引部は、前記搭載面に搭載された被彫刻媒体を前記空気孔を介して吸引固定した、ことを特徴とする画像彫刻装置である。
【００１２】
本発明の第３の要旨は、請求項１又は２記載の画像彫刻装置において、彫刻針に接近させて設けられ切削りくずを含むダストを吸引するダスト吸引部を備えた、ことを特徴とする画像彫刻装置である。
【００１３】
【発明の実施の態様】
この発明に係るパスポート、身分証明カード類の画像彫刻装置及びそのアダプタを、身分証明カードとパスポートとに本人の顔写真、住所、氏名、所属部署、ＩＤ番号等の情報を磁気カード、非磁気カード、プラスチック・カード等の該被彫刻媒体に彫刻する実施例について説明する。
【００１４】
【実施例】
請求項１記載のパスポート、身分証明カード類の画像彫刻装置ＥＧの実施例を図面について説明する。
図１〜６において、所要厚みと面積とを有するベース１０上に、両端に枠体１２ａ、１２ａを有し、両端に弾性体１６、１６と、両端近くに軸受１８，１８とを夫々有する案内軸１４、１４を該枠体１２ａ、１２ａに水平且つ平行に設けた駆動台１２を有する揺動防止部Ａとする。
【００１５】
該駆動台１２の底面長手方向中間部所要個所に突起２０ａを設け、該突起２０ａに両端長手方向に凹部２８ａ、２８ａを形成したレール２８を一体に設け、底部足３０ａ、３０ａ先端のローラ３０ｂ、３０ｂを該凹部２８ａ、２８ａ内に嵌合するＸ軸方向送り台３０を該駆動台１２上から胞持する様に構成し、且つＸ軸パルス・モータ・ドライバ３２とＸ軸パルス・モータ３４とをＸ軸方向駆動部Ｂに接続する。
【００１６】
図３〜６に示す様に、該Ｘ軸方向駆動部Ｂは、該Ｘ軸パルス・モータ３４のＸ軸パルス・モータ軸３４ａに設けられた駆動プーリ３５及び該駆動プーリ３５に対向して受動プーリ３６を設け、これらプーリ３４、３５にタイミング・ベルト３８を懸架し、該タイミング・ベルト３８を該Ｘ軸方向送り台３０に連結する。
【００１７】
該画像彫刻装置ＥＧの該制御部ＣＲに接続されたＹ軸方向駆動部Ｃは、Ｙ軸パルス・モータ・ドライバ３６、Ｘ軸パルス・モータ３８とを有し、該駆動台１２上に該Ｘ軸方向送り台３０を設けて成るものである。
【００１８】
該Ｙ軸方向駆動部Ｃの先端に設けられたヘッド・ベース板５２上にＺ軸方向駆動部Ｄを設ける。該Ｚ軸方向駆動部Ｄは、Ｚ軸ヘッド・ドライバ５４と、Ｚ軸ヘッド５６とを有し、該Ｚ軸ヘッド５６の下端に彫刻針５８を設け、且つ該彫刻針５８には、ΔＹヘッド・ヘッド・ドライバ６０と、ΔＹヘッド・ヘッド６２とを有する微小ΔＹ軸方向駆動部Ｅを接続する。
【００１９】
該制御部ＣＲに接続されたＹ軸方向駆動部Ｆは、チルト・パルス・モータ・ドライバ６４と、チルト・パルス・モータ６６とを有し、該Ｙ軸方向駆動部Ｃの先端の該ヘッド・ベース板４２を後方にチルトさせて該ヘッド・ベース板４２上にパスポートＰ、身分証明カード類ＩＤの該被彫刻媒体を載せ易くする。
【００２０】
該ヘッド・ベース板４２上で該Ｘ軸パルス・モータ３４に隣接して設けられた真空ポンプ６８のホース６８ａの先端を該彫刻針５８に接近して設け、切削りくず等のダストを吸入するダスト吸入部７０とする。
【００２１】
真空ポンプ７２に接続された該被彫刻媒体の吸入部７４を該ヘッド・ベース板４２の裏側に導き、該被彫刻媒体を裏側から吸入して固定する被彫刻媒体吸入部７４とする。
【００２２】
図７、８において、身分証明カード類の画像彫刻装置用アダプタ８０は、被彫刻媒体搭載テーブル３０に載せられるものであり、所要サイズと、厚みとを有し、該アダプタ８０の表面に位置決め用溝８０ａと突起縁８２とを形成し、該位置決め用溝８０ａの所要個所に空気孔８０ｂを穿設し、該アダプタ８０上のパスポートＰ、身分証明カード類ＩＤ等の被彫刻媒体カード等を裏側から吸引して該被彫刻媒体を固定する。
【００２３】
図９〜１１において、パスポートＰの画像彫刻装置用アダプタ９０は、パスポートＰの本体部を載せる把持板９２、それに所要角度で山形状に一体に設けられた傾斜板９４とを有し、該把持板９２の表面に該パスポートＰを載せる案内溝９２ａを形成し、該案内溝９２ａの所要個所に空気孔９２ｂ、９２ｂを穿設し、且つ該案内溝９２ａ周囲に位置決め突起９６、９６を形成する。
【００２４】
該傾斜板９４の先端部に該パスポートＰを抑えるクリップ９４ａ、９４ａを設け、該把持板９２の外端に該案内溝９２ａに対応する開口部９８ａを形成した蓋９６を蝶着し、該蓋９６の先端部に取っ手９８ｃ、９８ｃを設け、該把持板９２と該蓋９８との間に該パスポートＰを挟んでその被彫刻部を該開口部９８ａに露出させる。
【００２５】
【発明の動作】
パスポートＰ、身分証明カードＩＤ類の画像彫刻装置ＥＧを所要のパソコンＰＣの制御部ＣＲに接続する。所要の画像彫刻装置用アダプタに被彫刻媒体を手作業により載せ、Ｘ軸方向送り台３０上に固定する。該パソコンＰＣに入力された顔写真、住所、氏名、サイン等の画像、その他身分を証明する画像情報、該画像やディジタル・カメラ、スキャナ、或いは他のコンピュータ等からネット・ワーク等を介して取り込まれた画像情報等の画像信号が、前記制御部ＣＲから前記画像彫刻装置ＥＧに与えられる。これにより、該画像彫刻装置ＥＧの該彫刻針５８を左右方向（Ｘ軸方向）、前後方向（Ｙ軸方向）、並びに上下方向に（Ｚ軸方向）に高速駆動させ、その偏奇した深さをもって被彫刻媒体の表面を彫刻することによって、パスポートＰ、身分証明カード類ＩＤに所要の画像を彫刻する。
【００２６】
被彫刻媒体が身分証明カード類ＩＤである場合は、図７，８に示す様に、身分証明カード類ＩＤに対応するアダプタ８０を選択し、この選択したアダプタ８０を、Ｘ軸方向送り台３０上の彫刻媒体搭載テーブル３０ａに載せて固定し、パソコンＰＣの情報に従って彫刻を実施する。
【００２７】
図９〜１１に示す様に、被彫刻媒体がパスポートＰの場合は、パスポートＰの専用アダプタ９０を使用する。パスポートＰの本体部を載せる専用アダプタ９０は、把持板９２、それに所要角度で山形状に一体に設けられた傾斜板９４とを有し、該把持板９２の表面に該パスポートＰを載せる案内溝９２ａを形成し、該案内溝９２ａの先端部両端に係合する突起片９２ａ、９２ａを有し、該パスポートＰを載せる案内溝９４と、該案内溝９４の所要個所に空気孔９４ａ、９４ａを穿設し、且つ該案内溝９２ａ周囲に位置決め突起９６、９６を形成する。
【００２８】
該傾斜板９４の該クリップ９４ｂ、９４ｂに該パスポートＰを抑えるクリップ９４ｂ、９４ｂを設け、該把持板９２の外端に該案内溝９２ａに対応する開口部９６ａを形成した蓋９６を蝶着し、該蓋９６の先端部に取っ手９６ｂ、９６ｂを設け、該把持板９２と該蓋９６との間に該パスポートＰを挟んでその被彫刻部を該開口部９６ａに露出させるので彫刻作業を容易に実施可能となる。
【００２９】
【発明の効果】
（１）この発明に係るパスポート、身分証明カード類の画像彫刻装置によれば、原画を走査しながら画像を被彫刻媒体に彫刻する公知の画像彫刻装置と異なり、パソコンＰからの画像信号により被彫刻媒体に写真、住所、氏名、サイン等の画像、その他身分を証明する情報を彫刻するオペレイタによる原画との対比作業が不要となり、従来は避けられなかった該被彫刻媒体に別人の画像や他の情報データの書込み、彫刻等の誤動作が全く無くなる。
【００３０】
（２）この発明に係る画像彫刻装置は、構成がコンパクトになり、部品点数も少ないので、組立、操作、メインテナンス等も容易となる。
【００３１】
（３）該被彫刻媒体の形状や性質に応じて各種の高価な画像彫刻装置を用意する必要があったが、この発明に係る数種類のアダプタを予め用意し、所要のアダプタと交換するだけで、各種の該被彫刻媒体に対応可能となるので、極めて経済的である。
【００３２】
（４）該画像彫刻装置ＥＧに該揺動防止部Ａを設けたので、彫刻台駆動部の彫刻ヘッドの振動が吸収され、該画像彫刻装置ＥＧ全体を揺動させないので正確な彫刻作業が可能となり、彫刻されパスポート、身分証明カード類の該被彫刻媒体の高精度と高い信頼性が得られるものである。
【００３３】
（５）該画像彫刻装置ＥＧに該ダスト吸入部７０を設けたので、該被彫刻媒体を該彫刻針５８により彫刻して生じた切削りくず等のダストを吸入・回収するので機器や室内を汚染しない。
【図面の簡単な説明】
【図１】請求項１記載のこの発明に係るパスポート、身分証明カード類の画像彫刻装置をキャビネット内に設けの略斜視図である。
【図２】図１の正面図である。
【図３】図１、２のキャビネット内から取出した画像彫刻装置の拡大斜視図である。
【図４】図３の画像彫刻装置における駆動台を有する揺動防止部と、駆動台と、Ｘ軸方向送り台とを有するＸ軸方向駆動部Ｂを示す模式的拡大部分断面略図である。
【図５】図４におけるＸ軸方向送り台と、アダプタと、被彫刻媒体との吸入関係を示す部分拡大断面略図である。
【図６】画像彫刻装置のブロック略図である。
【図７】請求項２記載のアダプタの斜視図である。
【図８】図７請求項２記載のアダプタを裏側から見た斜視図である。
【図９】請求項３記載のアダプタを開いた状態の斜視図である。
【図１０】図９のアダプタを裏側から見た斜視図である。
【図１１】図９、１０のアダプタにパスポートを挟んだ状態を示す斜視図である。
【符号の説明】
ＥＧ・・・画像彫刻装置；
ＰＣ・・・パソコン；
ＣＲ・・・制御部；
Ｐ・・・パスポート；
ＩＤ・・・身分証明カード類；
Ａ・・・揺動防止部；
Ｂ・・・Ｘ軸方向駆動部；
Ｃ・・・Ｙ軸方向駆動部；
Ｄ・・・Ｚ軸方向駆動部；
Ｅ・・・微小ΔＹ軸方向駆動部；
Ｆ・・・Ｙ軸方向駆動部。
【図１】
0004498580.tif 000002
【図２】
0004498580.tif 000003
【図３】
0004498580.tif 000004
【図４】
0004498580.tif 000005
【図５】
0004498580.tif 000006
【図６】
0004498580.tif 000007
【図７】
0004498580.tif 000008
【図８】
0004498580.tif 000009
【図９】
0004498580.tif 000010
【図１０】
0004498580.tif 000011
【図１１】
0004498580.tif 000012